(57)【特許請求の範囲】
【請求項１】
上部が開口し内鍋が着脱自在に収容される本体と、該本体の開口部を覆う蓋体と、前記内鍋を電磁誘導加熱する加熱手段と、この加熱手段を制御する制御基板と、前記本体の外枠と前記制御基板との間に配設された仕切り板と、前記本体の外枠と前記仕切り板とで形成された吸気風路と、前記制御基板と前記仕切り板とで形成された排気風路と、複数のフィンを有し制御基板に搭載されて冷却ファンにより吸込まれた外気により発熱部を冷却する放熱器とを備えてなり、
前記排気風路内に、前記放熱器をそのフィンがほぼ水平になるように配設すると共に、前記冷却ファンを該放熱器と対向しかつ近接して配設したことを特徴とする炊飯器。
【発明の詳細な説明】
【０００１】
【発明の属する技術分野】
本発明は、炊飯器に係り、さらに詳しくは、炊飯器に設けた発熱部の冷却構造に関するものである。
【０００２】
【従来の技術】
図３は従来の炊飯器の縦断面図、図４は図３の底板を取外した状態の底面図である。
図において、１は筒状の本体、２は上部に開口部を有し、本体１に一体的に結合された環状の上枠で、その内部には筒状の内遮熱板４とその下に設けられたほぼ深皿状のコイル台５とからなる内鍋収容部３が設けられている。６は内遮熱板４の外面に密着して取付けられた胴ヒータで、炊飯及び保温時に通電され、発熱する。７は例えばポリプロピレンの如き合成樹脂からなり、上枠２と後述の底板との間に挾持されて固定され、本体１の側面部を構成する筒状の外枠である。
【０００３】
８は米、水などが入れられる有底筒状の内鍋、９は内鍋８の上端部に形成されたフランジで、内鍋収容部３に入れられた内鍋８は、そのフランジ９が上枠２に懸架されて保持される。
【０００４】
１０はコイル台５の外面に巻付けて固定された誘導加熱コイルで、通電により交番磁界を発生し、内鍋８を電磁誘導加熱する。１１は誘導加熱コイル１０の外側に取付けられた複数のフェライト板で、誘導加熱コイル１０から放出されるノイズを減少させる。１２は誘導加熱コイル１０の外周に配設されて磁気の漏洩を防止する筒状の防磁板、１３は内鍋８の底部の中心部に当接し、内鍋８の温度を検知する温度センサである。
【０００５】
１４は本体１の前面側に設けられた横断面形状がほぼコ字状の基板ホルダで、上部には後述の操作基板の取付部１５が形成され、下部には下方に延設されて後述の制御基板と外枠７との間を仕切る仕切り板１６が設けられており、この仕切り板１６から外側に向ってガイド１６ａが延設され、外枠７との間に吸気風路２０ａが形成されている。１８は内鍋収納部３に近接して基板ホルダ１４に装着された制御部を構成する制御基板で、この制御基板１８と仕切り板１６とにより排気風路２０ｂを形成している。１９は取付部１５に傾斜して装着された操作基板である。２１は吸気風路２０ａ内において、仕切り板１６の開口部１７に臨んで基板ホルダ１４に取付けられた冷却ファンである。
【０００６】
２２ａは所定の間隔で整列された複数のフィン２３ａを有する放熱器で、発熱素子２４が取付けられ、冷却ファン２１の排気側に対向してフィン２３ａがほぼ垂直になるように制御基板１８に搭載され、排気風路２０ｂ内に配設されている。２５は上枠２の前面側において操作基板１９の上方に設けられ、メニュー等の選択と炊飯ボタン等のスイッチを備えた操作パネルである。
２６は本体１の後部側に縦方向に設置されたコードリール、２７は底板、２８は底板２７の前部側に設けられた吸気口、２９は底板２７の後部側に設けられた排気口である。
【０００７】
３０は上板３１、下板３２、蓋ヒータ３４が設けられた放熱板３３等からなり、本体１の開口部を閉塞する蓋体で、後部側は開放方向に付勢するばね３７を備えたヒンジ３６により、本体１の開口部を開閉自在に枢支されており、前部側は上枠２に設けた係止ボタン３８により係止される。３９は蓋体３０に着脱可能に装着され、内鍋７内に連通する蒸気排出部、３５は蓋体３０の下面に着脱自在に装着された内蓋である。
【０００８】
このように構成した炊飯器により炊飯する場合は、先ず、所定量の米と水が入れられた内鍋８を内鍋収納部３内に収容してフランジ９を上枠２に懸架させ、蓋体３０を閉じる。このとき、内鍋８の底面は温度センサ１３に密着する。
ついで、炊飯器の電源を投入して本体１の前面側に設けた操作パネル２４の炊飯キーを圧下すると、本体１内に設けた制御部は、誘導加熱コイル９に通電して内鍋７の底部に渦電流を発生させ、内鍋７を発熱させて炊飯工程が開始される。そして、温度センサ１２の検知温度に基いて予熱、炊飯、むらしの各工程を実行し、内鍋７内の米をたき上げる。炊飯工程が終了すると蓋ヒータ３４に通電し、保温工程を実行させる。
【０００９】
一方、炊飯工程が開始されると、制御基板１８上の発熱素子２４等を冷却するために冷却ファン２１に通電され、冷却ファン２１を駆動して底板２７に設けた吸込口２８から外気を吸い込み、この外気は、吸気風路２０ａから本体１と冷却ファン２１との間を通過し、冷却ファン２１から放熱器２２ａのフィン２３ａに沿って上下方向に流れ、発熱素子２４等を冷却して本体１の下部を矢印方向に流動し、排気口２９から排気される。このとき、誘導加熱コイル１０も冷却される。
【００１０】
【発明が解決しようとする課題】
上記のような従来の炊飯器においては、放熱器２２ａのフィン２３ａが垂直方向に整列されているため、炊飯工程において外気の流れが本体１の底部の中心部に集中してしまい、本体１の底部内周が充分に冷却されないため温度が上昇し、電気部品等に悪影響を及ぼすおそれがあった。
また、冷却ファン２１が吸気風路２０ａ内に配置されているので、冷却ファン２１が風路抵抗となって送風量が少ないため、電気部品等の冷却効果が低いばかりでなく、騒音の原因となっていた。
【００１１】
本発明は、上記の課題を解決するためになされたもので、発熱素子や誘導加熱コイルなどの発熱部を効率よく冷却することができ、その上騒音の少ない炊飯器を得ることを目的としたものである。
【００１２】
【課題を解決するための手段】
本発明に係る炊飯器は、上部が開口し内鍋が着脱自在に収容される本体と、該本体の開口部を覆う蓋体と、前記内鍋を電磁誘導加熱する加熱手段と、この加熱手段を制御する制御基板と、前記本体の外枠と前記制御基板との間に配設された仕切り板と、前記本体の外枠と前記仕切り板とで形成された吸気風路と、前記制御基板と前記仕切り板とで形成された排気風路と、複数のフィンを有し制御基板に搭載されて冷却ファンにより吸込まれた外気により発熱部を冷却する放熱器とを備えてなり、前記排気風路内に、前記放熱器をそのフィンがほぼ水平になるように配設すると共に、前記冷却ファンを該放熱器と対向しかつ近接して配設したものである。
【００１３】
【発明の実施の形態】
図１は本発明に係る炊飯器の一実施の形態の縦断面図、図２は図１の底板を取外した状態の底面図である。なお、図３、図４で説明した従来の炊飯器と同じ部分にはこれと同じ符号を付し、説明を省略する。
【００１４】
本発明においては、基板ホルダ１４の外周端が例えばステンレスの如き金属材料からなる外枠７の内周面に当接して吸気風路２０ａを形成している。また、本発明においては、冷却ファン２１を基板ホルダ１４の仕切り板１６の開口部１７に臨ませて、仕切り板１６と制御基板１８との間に形成した排気風路２０ｂ内に設置した。２２は所定の間隔で整列された複数のフィン２３を有し、発熱素子２４が取付けられた放熱器で、この放熱器２２を、排気風路２０ｂ内において冷却ファン２１の排気口と対向させ、フィン２３がほぼ水平になるように制御基板１８に搭載したものである。
【００１５】
本発明に係る炊飯器の炊飯工程、保温工程は、従来の炊飯器と同様であるが、炊飯工程が開始されると、冷却ファン２１に通電されて作動し、底板２７の吸込口２８から吸込まれた外気は、図２に矢印で示すように、吸気風路２０ａを通過して仕切り板１６の開口部１７から放熱器２２に流入し、フィン２３に沿って左右方向に流れて発熱素子２４等を冷却すると共に、外枠７の内周面に沿って流れて誘導加熱コイル１０等を冷却し、本体１の下部に流れて排気口２９から排気される。
【００１６】
本発明は、上述のように、冷却ファン２１を排気風路２０ｂ内に設置すると共に、放熱器２２をフィン２３がほぼ水平になるように制御基板１８に搭載し、冷却ファン２１によって吸込まれた外気がフィン２３に沿って左右方向に流れるように構成したので、制御基板１８に実装された発熱素子２４や誘導加熱コイル１０等の発熱部を効率よく冷却し、本体１内の温度上昇を防止することができる。また、吸気風路２０ａを外枠７と基板ホルダ１４との間に広く形成したので、通気効果を高めることができる。
【００１７】
上記の説明では、図示の炊飯器に本発明を実施した場合について述べたが、本発明は他の構造の炊飯器にも実施することができる。
【００１８】
【発明の効果】
本発明に係る炊飯器は、上部が開口し内鍋が着脱自在に収容される本体と、本体の開口部を覆う蓋体と、内鍋を電磁誘導加熱する加熱手段と、この加熱手段を制御する制御基板と、前記本体の外枠と前記制御基板との間に配設された仕切り板と、本体の外枠と前記仕切り板とで形成された吸気風路と、前記制御基板と前記仕切り板とで形成された排気風路と、複数のフィンを有し制御基板に搭載されて冷却ファンにより吸込まれた外気により発熱部を冷却する放熱器とを備えてなり、前記排気風路内に、前記放熱器をそのフィンがほぼ水平になるように配設すると共に、前記冷却ファンを該放熱器と対向しかつ近設して配設したので、騒音を少なくすると共に、発熱素子や誘導加熱コイルなどの発熱部を効率よく冷却し、本体内の温度上昇を防止することができる。
【図面の簡単な説明】
【図１】  本発明の実施の形態に係る炊飯器の縦断面図である。
【図２】  図１の底板を取外した状態の底面図である。
【図３】  従来の炊飯器の一例の縦断面図である。
【図４】  図３の底板を取外した状態の底面図である。
【符号の説明】
１  本体、２  上枠、５  コイル台、７  外枠、８  内鍋、１０  誘導加熱コイル、１４  基板ホルダ、１６  仕切り板、１８  制御基板、１９  操作基板、２０ａ  吸気風路、２０ｂ  排気風路、２１  冷却ファン、２２  放熱器、２３フィン、２４  発熱素子、２７  底板、３０  蓋体。
【図１】
0003671337.tif 000002
【図２】
0003671337.tif 000003
【図３】
0003671337.tif 000004
【図４】
0003671337.tif 000005